(57)【要約】【課題】芳香環を有する二量体に由来する異物が生じにくく、かつ高い充填性を有するインクジェット捺染インク組成物を提供することを目的とする。【解決手段】分散剤Ａと、界面活性剤Ｂと、芳香環を有する二量体Ｃと、水と、を少なくとも含み、前記分散剤Ａの含有量ａに対する前記芳香環を有する二量体Ｃの含有量ｃの比（ｃ／ａ）が、０．００１以上０．０４５以下であり、前記界面活性剤Ｂの含有量ｂに対する前記分散剤Ａの含有量ａの比（ａ／ｂ）が、７以上５０以下である、インクジェット捺染インク組成物。【選択図】なし【特許請求の範囲】
【請求項１】
分散剤Ａと、界面活性剤Ｂと、芳香環を有する二量体Ｃと、水と、を少なくとも含み、
前記分散剤Ａの含有量ａに対する前記芳香環を有する二量体Ｃの含有量ｃの比（ｃ／ａ）が、０．００１以上０．０４５以下であり、
前記界面活性剤Ｂの含有量ｂに対する前記分散剤Ａの含有量ａの比（ａ／ｂ）が、７以上５０以下である、
インクジェット捺染インク組成物。
【請求項２】
表面張力が３０ｍＮ／ｍ以下である、請求項１に記載のインクジェット捺染インク組成物。
【請求項３】
前記芳香環を有する二量体Ｃが、下記式（１）で表される化合物である、
請求項１又は２に記載のインクジェット捺染インク組成物。
Ｒ−ＳＯ2−Ｒ  ・・・（１）
（式中、Ｒは、各々独立して、ベンゼン、ナフタレン、フェナントレン、アントラセン、ピレン、クリセン、又はフルオレンを示す。）
【請求項４】
前記芳香環を有する二量体Ｃの含有量ｃが、前記インクジェット捺染インク組成物の総量に対して、０．００１以上０．６質量％以下である、
請求項１〜３に記載のインクジェット捺染インク組成物。
【請求項５】
前記分散剤Ａが、ナフタレンスルホン酸化合物のホルマリン縮合物、又はリグニンスルホン酸化合物のホルマリン縮合物の少なくともいずれかを含む、
請求項１〜４のいずれか１項に記載のインクジェット捺染インク組成物。
【請求項６】
前記界面活性剤Ｂが、ノニオン系界面活性剤を含む、
請求項１〜５のいずれか１項に記載のインクジェット捺染インク組成物。
【請求項７】
分散染料をさらに含む、
請求項１〜６のいずれか１項に記載のインクジェット捺染インク組成物。
【請求項８】
前記分散染料が、Ｃ．Ｉ．ディスパースレッド６０である、
請求項７に記載のインクジェット捺染インク組成物。
【発明の詳細な説明】
【技術分野】
【０００１】
本発明は、インクジェット捺染インク組成物に関する。
【背景技術】
【０００２】
インクジェット記録方法は、比較的単純な装置で、高精細な画像の記録が可能であり、各方面で急速な発展を遂げている。その中で、吐出安定性等について種々の検討がなされている。例えば、特許文献１には、大気開放系であっても吐出安定性が良好であり、気液界面における異物の発生を抑制でき、記録装置不使用時にノズルのキャップを閉めて放置した場合の回復性（以下、「Ｃａｐ閉放置回復性」ともいう。）に優れる、捺染用インクジェットインク組成物を提供することを目的として、分子量が３５０以下であり、かつ分子構造中にアミノ基を１つ以上有する分散染料と、芳香族スルホン酸のホルマリン縮合物と、シリコーン系界面活性剤と、アルキルスルホコハク酸塩と、を含み、大気開放系で使用されるものである、捺染用インクジェットインク組成物が開示されている。
【先行技術文献】
【特許文献】
【０００３】
【特許文献１】特開２０１５−８３６３０号公報
【発明の概要】
【発明が解決しようとする課題】
【０００４】
特許文献１に記載されるように、芳香族スルホン酸は分散剤として汎用的に用いられている。芳香族スルホン酸は単に色材を分散させるだけでなく、近年主流になりつつある継ぎ足し式インクタンク搭載のプリンターでの使用を可能にしている。それは、当該分散剤が分子内にスルホン酸を有しており、大気開放されたタンク内でインクの水分蒸発が起こった際にも十分な水溶性を発揮する為、異物となることなく、色材の分散安定に優れ吐出安定性を確保できる。
【０００５】
また、継ぎ足しタイプのプリンターでは、インク補充の際に、気泡が混入しやすい。混入した気泡によって、充填性等の吐出に不具合を引き起こすため、界面活性剤を加えることでこの不具合を解消しようとしていた。
【０００６】
しかしながら、芳香族スルホン酸系の分散剤は、製造上の不純物（副生成物）として芳香環を有する二量体を含有していることが多い。当該二量体は芳香族スルホン酸系分散剤の合成の際の芳香族のスルホン化の段階で副次的に生成してしまうものであり、多いものでは分散剤中に数%の割合で含有されることがある。このような芳香環を有する二量体は主成分の芳香族スルホン酸とは異なり電離基をもたない為、水溶性が極めて低いことが特徴である。したがってインクの製造時に分散剤を水溶化させた後、温度変化などにより芳香環を有する二量体が水溶性を失い再結晶化することがある。そして、その結果、再結晶物は異物としてプリンターのノズルやフィルターを詰まらせてしまうという不具合を引き起こす。このような芳香族二量体を、精製により除去することも考えられるが、高純度に精製するためには高いコストを要したり、生成時に使用する有機溶剤の残留等による弊害がある場合があるため、改善が求められていた。
【０００７】
さらに、残留気泡による充填性を改善するために含有する界面活性剤が、二量体の再結晶化を促進することが分かった。このような背景から、二量体Ｃの異物化を抑制し、かつ充填性に優れることが望まれていた。
【０００８】
本発明は、上述の課題の少なくとも一部を解決するためになされたものであり、芳香環を有する二量体に由来する異物が生じにくく、かつ高い充填性を有するインクジェット捺染インク組成物を提供することを目的とする。
【課題を解決するための手段】
【０００９】
本発明者らは、上記課題を解決するために鋭意検討した。その結果、分散剤、界面活性剤、及び芳香環を有する二量体の組成比を所定の範囲とすることにより、上記課題を解決できることを見出して、本発明を完成させた。
【００１０】
すなわち、本発明は、分散剤Ａと、界面活性剤Ｂと、芳香環を有する二量体Ｃと、水と、を少なくとも含み、前記分散剤Ａの含有量ａに対する前記芳香環を有する二量体Ｃの含有量ｃの比（ｃ／ａ）が、０．００１以上０．０４５以下であり、前記界面活性剤Ｂの含有量ｂに対する前記分散剤Ａの含有量ａの比（ａ／ｂ）が、７以上５０以下である、インクジェット捺染インク組成物である。
【００１１】
また、表面張力が３０ｍＮ／ｍ以下であることが好ましく、芳香環を有する二量体Ｃが、下記式（１）：Ｒ−ＳＯ2−Ｒ（式中、Ｒは、各々独立して、ベンゼン、ナフタレン、フェナントレン、アントラセン、ピレン、クリセン、又はフルオレンを示す。）で表される化合物であることが好ましく、芳香環を有する二量体Ｃの含有量ｃが、インクジェット捺染インク組成物の総量に対して、０．００１以上０．６質量％以下であることが好ましく、分散剤Ａが、ナフタレンスルホン酸化合物のホルマリン縮合物、又はリグニンスルホン酸化合物のホルマリン縮合物の少なくともいずれかを含むことが好ましく、界面活性剤Ｂが、ノニオン系界面活性剤を含むことが好ましく、分散染料をさらに含むことが好ましく、分散染料が、Ｃ．Ｉ．ディスパースレッド６０であることが好ましい。
【発明を実施するための形態】
【００１２】
以下、本発明の実施の形態（以下、「本実施形態」という。）について詳細に説明するが、本発明はこれに限定されるものではなく、その要旨を逸脱しない範囲で様々な変形が可能である。
【００１３】
〔インクジェット捺染インク組成物〕
本実施形態のインクジェット捺染インク組成物は、分散剤Ａと、界面活性剤Ｂと、芳香環を有する二量体Ｃと、水と、を少なくとも含み、前記分散剤Ａの含有量ａに対する前記芳香環を有する二量体Ｃの含有量ｃの比（ｃ／ａ）が、０．００１以上０．０４５以下であり、前記界面活性剤Ｂの含有量ｂに対する前記分散剤Ａの含有量ａの比（ａ／ｂ）が、７以上５０以下である。
【００１４】
分散剤に混入する芳香環を有する二量体は水溶性が低いため、インク組成物の温度変化などによって芳香環を有する二量体が水溶性を失いインク組成物中で再結晶化することがある。そして、その結果、再結晶物は異物としてプリンターのノズルやフィルターを詰まらせてしまうという不具合を引き起こす。このような芳香環を有する二量体を、精製により除去する方法の一つとしては、トルエンなどの有機溶剤を使用して分離抽出する方法が考えられるが、このような精製をしても芳香環を有する二量体を完全に除くことはできず、かえってインク組成物中にトルエンが残留することなどによるその他の弊害が懸念される。また、分散剤の温度条件等の合成条件を制御することにより、芳香環を有する二量体が副生することを抑制する方法ことも考えられるが、この方法でも芳香環を有する二量体の副生を完全に抑制することは困難である。また、インクジェットプリンターの吐出ノズル径は約２０μｍと小さいため、非常に少量の異物発生でも正常な吐出を妨げてしまう。よって根本的に異物を発生させないことがインク設計思想として求められる。
【００１５】
これに対して、本実施形態においては、インク組成物の組成を調整することにより、芳香環を有する二量体Ｃに由来する異物の発生が抑制されることに着目し、芳香環を有する二量体Ｃと、芳香環を有する二量体Ｃに由来する異物の発生を促進する成分（界面活性剤Ｂ）と、抑制する成分（分散剤Ａ）と、の関係を見出して、これらを制御することにより、芳香環を有する二量体Ｃに由来する異物の発生を制御する。
【００１６】
〔分散剤Ａ〕
本発明のインクは、分散剤Ａを含む。分散剤Ａは、色材としての分散染料を主溶媒である水に安定的に分散させたり、二量体Ｃを分散させ異物として析出することを抑制したり、するために用いることができる。
【００１７】
分散剤Ａとしては、特に制限されないが、例えば、アニオン系分散剤、ノニオン系分散剤、高分子分散剤が挙げられる。このなかでも、アニオン系分散剤が好ましい。
【００１８】
アニオン系分散剤としては、特に限定されないが、例えば、クレオソート油スルホン酸のホルマリン縮合物、クレゾールスルホン酸のホルマリン縮合物、フェノールスルホン酸のホルマリン縮合物、β−ナフトールスルホン酸のホルマリン縮合物、メチルナフタレンスルホン酸のホルマリン縮合物、ブチルナフタレンスルホン酸のホルマリン縮合物等のアルキルナフタレンスルホン酸のホルマリン縮合物；β−ナフタレンスルホン酸とβ−ナフトールスルホン酸との混合物のホルマリン縮合物、クレゾールスルホン酸と２−ナフトール−６−スルホン酸との混合物のホルマリン縮合物、及びリグニンスルホン酸のホルマリン縮合物が挙げられ、市販品としては、デモールＮ（花王株式会社製）、デモールＴ４５（花王株式会社製）、デモールＳＮＢ（花王株式会社製）、ラベリンＦＭ４５（第一工業製薬株式会社製）、ラベリンＦＤ４０（第一工業製薬株式会社製）、ラベリンＡＮ４０（第一工業製薬株式会社製）、ラベリンＷ４０（第一工業製薬株式会社製）等が挙げられる。
【００１９】
１種単独で用いても、２種以上を併用してもよい。
【００２０】
このなかでも、ナフタレンスルホン酸化合物のホルマリン縮合物、又はリグニンスルホン酸化合物のホルマリン縮合物の少なくともいずれかを含むことが好ましい。このような分散剤Ａを用いることにより、芳香環を有する二量体Ｃに由来する異物の発生を制御できる傾向にある。特に、このような分散剤Ａを用いることにより、インク組成物と大気とが接した場合においてもその気液界面で異物が発生することをより抑制することができ、大気開放系記録装置により適したインク組成物となる傾向にある。「大気開放系記録装置」とは、インク組成物と大気とが接するような構造を有するインク収容容器を備える記録装置をいう。さらに言えば、大気開放系記録装置は、インク組成物を液体で補充できるような開放系（常に新鮮な空気に触れている）であり、従来のインクカートリッジのようにインク組成物の補充ができない機構になっている（完全に密閉系になっているか、もしくは空気層はあるが体積的には極めて小さく、かつ直接的な空気の出入りがない状態のもの）とは区別される。大気開放系記録装置では、インク組成物と大気とが接するため、インクの乾燥などにより、特に気液界面で異物が発生しやすい。そのため、本発明が特に有用となる。
【００２１】
ノニオン系分散剤としては、特に限定されないが、例えば、フィトステロールのエチレンオキサイド付加物、コレスタノールのエチレンオキサイド付加物等が挙げられる。
【００２２】
高分子分散剤としては、特に限定されないが、例えば、ポリアクリル酸部分アルキルエステル、ポリアルキレンポリアミン、ポリアクリル酸塩、スチレン−アクリル酸共重合物、ビニルナフタレン−マレイン酸共重合物等が挙げられる。
【００２３】
分散剤Ａの含有量ａは、インクジェット捺染インク組成物の総量に対して、好ましくは２〜１６質量％であり、より好ましくは４〜１４質量％であり、さらに好ましくは６〜１２質量％である。分散剤Ａの含有量ａが、２質量％以上であることにより、分散染料の分散安定性を確保したり、芳香環を有する二量体Ｃに由来する異物の発生がより抑制される傾向にある。また、分散剤Ａの含有量ａが、１６質量％以下であることにより、インクの粘度を小さく抑えたり、分散染料を溶解させすぎることがなかったり、分散剤Ａの添加に伴いインク組成物に混入する芳香環を有する二量体Ｃの量がより抑制される傾向にある。また、分散剤Ａの重量平均分子量は２０００〜１２０００の範囲であることが分散染料の分散安定性やインク低粘度化の観点から好ましい。
【００２４】
〔界面活性剤Ｂ〕
本発明のインクは界面活性剤Ｂを含む。界面活性剤Ｂは、継ぎ足しタイプのプリンターにおいて、インク流路中に混入した気泡によって生じるインク充填の不具合に対し、消泡性の向上や、インクと部材との濡れ性を向上して混入気泡の排出を促し、充填性を改善する効果がある。
【００２５】
界面活性剤Ｂとしては、特に限定されないが、例えば、ノニオン系界面活性剤、カチオン性界面活性剤、アニオン性界面活性剤が挙げられる。このなかでも、ノニオン系界面活性剤が好ましい。ノニオン系界面活性剤を用いることにより、表面張力が低下し、記録装置のインク流路へのインク組成物の濡れ性がより向上する傾向にある。
【００２６】
ノニオン系界面活性剤としては、特に限定されないが、例えば、アセチレングリコール系界面活性剤、シリコーン系界面活性剤、ポリオキシエチレンアルキルエーテル系界面活性剤、ポリオキシプロピレンアルキルエーテル系界面活性剤、多環フェニルエーテル系界面活性剤、ソルビタン誘導体、及びフッ素系界面活性剤が挙げられる。この中でも、アセチレングリコール系界面活性剤、シリコーン系界面活性剤、及びフッ素系界面活性剤が好ましく、シリコーン系界面活性剤がより好ましい。
【００２７】
アセチレングリコール系界面活性剤は、他のノニオン系界面活性剤と比較して、表面張力及び界面張力を適正に保つ能力に優れており、かつ起泡性がほとんどないという特性を有する。特にアセチレングリコール系界面活性剤はインク供給路に対して良好な親和性（濡れ性）を示すため、洗浄液としても適する。
【００２８】
アセチレングリコール系界面活性剤としては、特に限定されないが、例えば、２，４，７，９−テトラメチル−５−デシン−４，７−ジオール及び２，４，７，９−テトラメチル−５−デシン−４，７−ジオールのアルキレンオキサイド付加物、並びに２，４−ジメチル−５−デシン−４−オール及び２，４−ジメチル−５−デシン−４−オールのアルキレンオキサイド付加物から選択される一種以上が好ましい。アセチレングリコール系界面活性剤の市販品としては、特に限定されないが、例えば、オルフィン１０４シリーズやオルフィンＥ１０１０等のＥシリーズ（エアプロダクツ社（Air Products Japan, Inc.）製商品名）、サーフィノール４６５やサーフィノール６１（日信化学工業社（Nissin Chemical Industry CO.,Ltd.）製商品名）などが挙げられる。アセチレングリコール系界面活性剤は、１種単独で使用してもよいし、２種以上を併用してもよい。
【００２９】
フッ素系界面活性剤としては、特に限定されないが、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド化合物が挙げられる。フッ素系界面活性剤の市販品としては、特に限定されないが、例えば、Ｓ−１４４、Ｓ−１４５（旭硝子株式会社製）；ＦＣ−１７０Ｃ、ＦＣ−４３０、フロラード−ＦＣ４４３０（住友スリーエム株式会社製）；ＦＳＯ、ＦＳＯ−１００、ＦＳＮ、ＦＳＮ−１００、ＦＳ−３００（Ｄｕｐｏｎｔ社製）；ＦＴ−２５０、２５１（株式会社ネオス製）などが挙げられる。フッ素系界面活性剤は、１種単独で使用してもよいし、２種以上を併用してもよい。
【００３０】
シリコーン系界面活性剤としては、ポリシロキサン系化合物、ポリエーテル変性オルガノシロキサン等が挙げられる。シリコーン系界面活性剤の市販品としては、特に限定されないが、具体的には、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（以上商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学株式会社製）等が挙げられる。
【００３１】
界面活性剤Ｂの含有量ｂは、インクジェット捺染インク組成物の総質量に対し、好ましくは０．１〜５質量％であり、より好ましくは０．２〜３質量％であり、さらに好ましくは０．３〜１．５質量％である。界面活性剤Ｂの含有量ｂが０．１質量％以上であることにより、表面張力が低下し、インク流路へのインク組成物の濡れ性がより向上し、インクジェット法により適したインク性状となる傾向にある。また、界面活性剤Ｂの含有量ｂが５質量％以下であることにより、分散剤Ａにより分散安定していた芳香環を有する二量体Ｃが、界面活性剤Ｂの働きにより分散剤Ａから脱着し芳香環を有する二量体Ｃに由来する異物を生じてしまう、ことをより抑制できる傾向にある。
【００３２】
〔芳香環を有する二量体Ｃ〕
本発明のインクは芳香環を有する二量体Ｃを含む。芳香環を有する二量体Ｃは上述した分散剤Ａの混入物としてインク組成物に添加される場合や、過剰な分散剤Ａが色材である分散染料を溶かしてしまい色材由来の異物を生じさせることを抑制する目的でインク組成に添加する場合がある。一方で、この芳香環を有する二量体Ｃは、電離基が有しないために水溶性に乏しく、微量でも異物を生じやすい。そのため、分散剤Ａと二量体Ｃとの含有量を調整しないまま、インク組成物に含有すると、二量体Ｃ由来の異物が生じて吐出不良を招く場合があるが、本発明のように、後述する分散剤Ａと二量体Ｃとの比率ｃ／ａの範囲で二量体Ｃの量を調整することで、二量体Ｃ由来の異物の発生を抑制することができるため、本発明が特に有用である。
【００３３】
芳香環を有する二量体Ｃとしては、特に制限されないが、例えば、下記式（１）で表される化合物が挙げられる。
Ｒ−ＳＯ2−Ｒ  ・・・（１）
（式中、Ｒは、各々独立して、ベンゼン、ナフタレン、フェナントレン、アントラセン、ピレン、クリセン、又はフルオレンを示す。）
【００３４】
芳香環を有する二量体Ｃの含有量ｃは、インクジェット捺染インク組成物の総質量に対し、好ましくは０．００１〜０．６質量％であり、より好ましくは０．００５〜０．２質量％であり、さらに好ましくは０．０１〜０．２質量％である。芳香環を有する二量体Ｃの含有量ｃが０．００１質量％以上であることにより、色材由来の異物発生を抑制できる。特に制限されないが、分散安定性の観点から色材と分散剤Ａの含有量が調整された系において、色材と同じ疎水性を持つ二量体Ｃは所定の含有量範囲においては謂わば緩衝剤のように作用をし、分散剤Ａが色材に対して過剰に存在するような場合にはその過剰量の分散剤Ａを吸着し、色材由来の異物発生を抑制するという効果を発揮し得る。また、二量体Ｃの含有量ｃが０．６質量％以下であれば、分散剤Ａの乳化効果により二量体Ｃの異物発生を抑制することができる。なお、芳香環を有する二量体Ｃは、分散剤Ａの混入物としてインク組成物に添加されうるものであるため、分散剤Ａの含有量を減らすことにより芳香環を有する二量体Ｃの含有量ｃを低減することができる。分散剤Ａを予め精製して上記範囲内となるように調整したり、後述する方法で作成した二量体Ｃを上記範囲内となるようにインクに含有させたり、この両方を組み合わせたりすることで、調整可能である。
【００３５】
分散剤Ａの含有量ａに対する芳香環を有する二量体Ｃの含有量ｃの比（ｃ／ａ）は、０．００１以上０．０４５以下であり、好ましくは０．００１以上０．０４以下であり、より好ましくは０．００２以上０．０３以下である。比（ｃ／ａ）が０．００１以上であることにより、二量体Ｃがインク中の過剰の分散剤Ａを吸着させ、色材由来の異物発生を抑制できる。比（ｃ／ａ）が０．０４５以下であることにより、分散剤Ａが芳香環を有する二量体Ｃをより安定的に分散させることができるため、芳香環を有する二量体Ｃに由来する異物の発生がより抑制される。
【００３６】
界面活性剤Ｂの含有量ｂに対する分散剤Ａの含有量ａの比（ａ／ｂ）は、７以上５０以下であり、好ましくは１０以上４０以下であり、より好ましくは１２以上３０以下であり、さらに好ましくは１５以上３０以下である。比（ａ／ｂ）が７以上であることにより、芳香環を有する二量体Ｃを安定的に分散させる分散剤Ａが芳香環を有する二量体Ｃの分散安定性を低下させ得る界面活性剤Ｂよりも多くなり、それにより、芳香環を有する二量体Ｃに由来する異物の発生がより抑制される。また、比（ａ／ｂ）が５０以下であることにより、インク組成物の濡れ性に寄与する界面活性剤Ｂの量が相対的に多くなり、インクジェット法で本実施形態のインク組成物を用いた場合の充填性をはじめ、吐出安定性、ブリード抑制等の種々のインク特性がより向上する。
【００３７】
〔水〕
本発明のインクは水を含む。水は、本実施形態のインクジェット捺染用インクの主な媒体である。水としては、例えば、イオン交換水、限外ろ過水、逆浸透水、蒸留水などの純水、ならびに超純水のようなイオン性不純物を極力除去したものを用いることができる。また、紫外線照射や過酸化水素の添加などによって滅菌した水を使用すると、インクを長期間保存する場合に、カビやバクテリアの発生を抑制することができる。インクに含まれる水の含有量は、特に限定されないが、インクの全質量に対して、好ましくは５０〜９５質量％であり、より好ましくは６０〜９０質量％であり、さらに好ましくは７０〜８０質量％である。
【００３８】
〔分散染料〕
本実施形態のインク組成物は、分散染料を含んでもよい。分散染料とは、ポリエステル、ナイロン、アセテート等の疎水性合成繊維の染着に好適に用いられる染料であり、水に不溶または難溶の化合物である。
【００３９】
本実施形態に係るインク組成物に用いられる分散染料としては、特に制限されないが、具体的には以下に例示するものが挙げられる。
【００４０】
イエロー分散染料としては、特に限定されないが、例えば、Ｃ．Ｉ．ディスパースイエロー３、４、５、７、９、１３、２３、２４、３０、３３、３４、４２、４４、４９、５０、５１、５４、５６、５８、６０、６３、６４、６６、６８、７１、７４、７６、７９、８２、８３、８５、８６、８８、９０、９１、９３、９８、９９、１００、１０４、１０８、１１４、１１６、１１８、１１９、１２２、１２４、１２６、１３５、１４０、１４１、１４９、１６０、１６２、１６３、１６４、１６５、１７９、１８０、１８２、１８３、１８４、１８６、１９２、１９８、１９９、２０２、２０４、２１０、２１１、２１５、２１６、２１８、２２４、２２７、２３１、２３２が挙げられる。
【００４１】
オレンジ分散染料としては、特に限定されないが、例えば、Ｃ．Ｉ．ディスパースオレンジ１、３、５、７、１１、１３、１７、２０、２１、２５、２９、３０、３１、３２、３３、３７、３８、４２、４３、４４、４５、４６、４７、４８、４９、５０、５３、５４、５５、５６、５７、５８、５９、６１、６６、７１、７３、７６、７８、８０、８９、９０、９１、９３、９６、９７、１１９、１２７、１３０、１３９、１４２が挙げられる。
【００４２】
レッド分散染料としては、特に限定されないが、例えば、Ｃ．Ｉ．ディスパースレッド１、４、５、７、１１、１２、１３、１５、１７、２７、４３、４４、５０、５２、５３、５４、５５、５６、５８、５９、６０、６５、７２、７３、７４、７５、７６、７８、８１、８２、８６、８８、９０、９１、９２、９３、９６、１０３、１０５、１０６、１０７、１０８、１１０、１１１、１１３、１１７、１１８、１２１、１２２、１２６、１２７、１２８、１３１、１３２、１３４、１３５、１３７、１４３、１４５、１４６、１５１、１５２、１５３、１５４、１５７、１５９、１６４、１６７、１６９、１７７、１７９、１８１、１８３、１８４、１８５、１８８、１８９、１９０、１９１、１９２、２００、２０１、２０２、２０３、２０５、２０６、２０７、２１０、２２１、２２４、２２５、２２７、２２９、２３９、２４０、２５７、２５８、２７７、２７８、２７９、２８１、２８８、２９８、３０２、３０３、３１０、３１１、３１２、３２０、３２４、３２８が挙げられる。
【００４３】
バイオレット分散染料としては、特に限定されないが、例えば、Ｃ．Ｉ．ディスパースバイオレット１、４、８、２３、２６、２７、２８、３１、３３、３５、３６、３８、４０、４３、４６、４８、５０、５１、５２、５６、５７、５９、６１、６３、６９、７７が挙げられる。
【００４４】
グリーン分散染料としては、特に限定されないが、例えば、Ｃ．Ｉ．ディスパースグリーン９が挙げられる。
【００４５】
ブラウン分散染料としては、特に限定されないが、例えば、Ｃ．Ｉ．ディスパースブラウン１、２、４、９、１３、１９が挙げられる。
【００４６】
ブルー分散染料としては、特に限定されないが、例えば、Ｃ．Ｉ．ディスパースブルー３、７、９、１４、１６、１９、２０、２６、２７、３５、４３、４４、５４、５５、５６、５８、６０、６２、６４、７１、７２、７３、７５、７９、８１、８２、８３、８７、９１、９３、９４、９５、９６、１０２、１０６、１０８、１１２、１１３、１１５、１１８、１２０、１２２、１２５、１２８、１３０、１３９、１４１、１４２、１４３、１４６、１４８、１４９、１５３、１５４、１５８、１６５、１６７、１７１、１７３、１７４、１７６、１８１、１８３、１８５、１８６、１８７、１８９、１９７、１９８、２００、２０１、２０５、２０７、２１１、２１４、２２４、２２５、２５７、２５９、２６７、２６８、２７０、２８４、２８５、２８７、２８８、２９１、２９３、２９５、２９７、３０１、３１５、３３０、３３３、３５９、３６０が挙げられる。
【００４７】
ブラック分散染料としては、特に限定されないが、例えば、Ｃ．Ｉ．ディスパースブラック１、３、１０、２４が挙げられる。
【００４８】
上記で例示した分散染料は、１種単独で用いてもよく、２種以上を組み合わせた混色として用いてもよい。
【００４９】
本実施形態に係るインク組成物は、上記例示した分散染料の中でも、分子量が３８０以下の分散染料が好適である。この分散染料の分子量は、好ましくは３４０以下であり、より好ましくは２７０以上３４０以下であり、特に好ましくは２８０以上３４０以下である。分子量が３８０以下の分散染料であると、昇華転写式で用いた場合に転写先への染料の転写を効率よく行うことができる。
分子量が３８０以下の分散染料としては、例えばＣ．Ｉ．ディスパースレッド１１、５３、５５、５９、６０；Ｃ．Ｉ．ディスパースイエロー３、７、８、２３、３９、５１、５４、６０、７１；Ｃ．Ｉ．ディスパースオレンジ１、２０、２５；Ｃ．Ｉ．ディスパースブルー１９、２６、５６、７２、８１、３５９；Ｃ．Ｉ．ディスパースバイオレット８、１７、２７、２８等が挙げられる。これらは、単独で用いてもよいし２種類以上を併用してもよい。
【００５０】
分散染料の含有量は、インク組成物の総量１００質量部に対して、好ましくは０．１〜１０質量部であり、より好ましくは１．０〜７．５質量部であり、さらに好ましくは２．５〜７．５質量部である。分散染料の含有量が０．１質量部以上であることにより、発色性がより向上する傾向にある。また、分散染料の含有量が１０質量部以下であることにより、分散染料由来の異物や、気液界面の異物がより生じにくい傾向にある。
【００５１】
〔その他の溶剤〕
本実施形態のインク組成物は、水以外の溶媒を含んでもよい。有機溶媒としては、水溶性有機溶媒が挙げられ、例えば、グリコール系やグリコールエーテル系の化合物である。
【００５２】
水溶性有機溶剤の例としては、１，２−ペンタンジオール、メチルトリグリコール（トリエチレングリコールモノメチルエーテル）、ブチルトリグリコール（トリエチレングリコールモノブチルエーテル）、ブチルジグリコール（ジエチレングリコールモノブチルエーテル）、ジプロピレングリコ−ルモノプロピルエーテル、１，２−ヘキサンジオール、１，２−ヘプタンジオール、２−メチル−３−フェノキシ−１，２−プロパンジオール、３−（３−メチルフェノキシ）−１，２−プロパンジオール、３−ヘキシルオキシ−１，２−プロパンジオール、及び、２−ヒドロキシメチル−２−フェノキシメチル−１，３−プロパンジオール、エチレングリコール、ジエチレングリコール、トリエチレングリコール、ポリエチレングリコール、プロピレングリコール、ジプロピレングリコール、ポリプロピレングリコール、ポリオキシエチレンポリオキシプロピレングリコール、１，３−プロパンジオール、１，２−ブタンジオール、１，２−ペンタンジオール、１，４−ブタンジオール、１，５−ペンタンジオール、１，６−ヘキサンジオール等のグリコール類が挙げられる。また、水溶性有機溶剤は、複数種を混合して用いてもよい。
【００５３】
水溶性有機溶剤の配合量は、インク組成物の全量に対して、０．２質量％以上３０質量％以下、好ましくは０．４質量％以上２０質量％以下、より好ましくは０．５質量％以上１５質量％以下、さらに好ましくは０．７質量％以上１０質量％以下である。
〔保湿剤〕
本実施形態のインクジェット捺染インク組成物は、保湿剤（湿潤剤）をさらに含むことが好ましい。保湿剤としては、一般にインクジェットインクに用いられるものであれば特に制限されることなく使用可能である。保湿剤の沸点は、好ましくは１８０℃以上であり、より好ましくは２００℃以上である。沸点が上記範囲内であることにより、インク組成物に良好な保水性及び湿潤性を付与することができる。
【００５４】
このような保湿剤の具体例として、特に限定されないが、ジエチレングリコール、トリエチレングリコール、テトラエチレングリコール、ペンタメチレングリコール、トリメチレングリコール、２−ブテン−１，４−ジオール、２−エチル−１，３−ヘキサンジオール、２−メチル−２，４−ペンタンジオール、プロピレングリコール、ジプロピレングリコール、トリプロピレングリコール、イソブチレングリコール、グリセリン、ジグリセリン、メソエリスリトール、トリメチロールプロパン、ペンタエリスリトール、ジペンタエリスリトールなどのポリオール類、２−ピロリドン、Ｎ−メチル−２−ピロリドン、ε−カプロラクタム、ヒドロキシエチルピロリドン等のラクタム類、尿素、チオ尿素、エチレン尿素、１，３−ジメチルイミダゾリジノン類等の尿素誘導体、グルコース、マンノース、フルクトース、リボース、キシロース、アラビノース、ガラクトース、アルドン酸、グルシトール（ソルビット）、マルトース、セロビオース、ラクトース、スクロース、トレハロース、マルトトリオース等の単糖類、二糖類、オリゴ糖類及び多糖類及びこれらの糖類の誘導体、グリシン、トリメチルグリシンのベタイン類などが挙げられる。
保湿剤は、１種単独で用いてもよく、２種以上を組み合わせて用いてもよい。
【００５５】
本実施形態のインク組成物に保湿剤を配合する場合の配合量としては、インク組成物の全量に対して、０．２質量％以上３０質量％以下、好ましくは０．４質量％以上２０質量％以下、より好ましくは０．５質量％以上１５質量％以下、さらに好ましくは０．７質量％以上１０質量％以下である。
【００５６】
〔浸透剤〕
本実施形態のインクジェット捺染インク組成物は、浸透剤をさらに含有することが好ましい。浸透剤としては、特に限定されないが、例えば、多価アルコールのアルキルエーテル（グリコールエーテル類）及びアルキルジオール類が好ましく挙げられる。
【００５７】
グリコールエーテル類としては、特に限定されないが、例えば、エチレングリコールモノメチルエーテル、エチレングリコールモノエチルエーテル、エチレングリコールモノプロピルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノプロピルエーテル、ジエチレングリコールモノブチルエーテル、ジエチレングリコールモノ−ｔ−ブチルエーテル、トリエチレングリコールモノメチルエーテル、トリエチレングリコールモノブチルエーテル、１−メチル−１−メトキシブタノール、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル、プロピレングリコールモノブチルエーテル、及びジプロピレングリコールモノブチルエーテルが挙げられる。
【００５８】
また、上記アルキルジオール類としては、特に限定されないが、例えば、１，２−ペンタンジオール及び１，２−ヘキサンジオール、１，３−プロパンジオール、１，４−ブタンジオール、１，５−ペンタンジオール、１，６−ヘキサンジオール、１，７−ヘプタンジオール、及び１，８−オクタンジオール等が挙られる。
【００５９】
浸透剤は、１種単独で用いてもよく、２種以上を組み合わせて用いてもよい。
【００６０】
浸透剤の配合量は、インク組成物の全量に対して、０．２質量％以上３０質量％以下、好ましくは０．４質量％以上２０質量％以下、より好ましくは０．５質量％以上１５質量％以下、さらに好ましくは０．７質量％以上１０質量％以下である。
【００６１】
〔ｐＨ調整剤〕
本実施形態のインクジェット捺染インク組成物は、ｐＨ調整剤を含むことが好ましい。ｐＨ調整剤は、インクのｐＨ値の調整を容易にすることができる。ｐＨ調整剤としては、特に限定されないが、例えば、無機酸（例えば、硫酸、塩酸、硝酸等）、無機塩基（例えば、水酸化リチウム、水酸化ナトリウム、水酸化カリウム、アンモニア等）、有機塩基（トリエタノールアミン、ジエタノールアミン、モノエタノールアミン、トリイソプロパノールアミン、ジイソプロパノールアミン、トリスヒドロキシメチルアミノメタン）、有機酸（例えば、アジピン酸、クエン酸、コハク、乳酸等）、ｐＨ緩衝液として、リン酸緩衝液、クエン酸緩衝液、トリス緩衝液等が挙げられる。
ｐＨ調整剤は、１種単独で用いてもよいし、２種以上混合して用いてもよい。
〔その他の成分〕
本実施形態で用いるインク組成物は、必要に応じて、溶解助剤、粘度調整剤、ｐＨ調整剤、酸化防止剤、防腐剤、防黴剤、腐食防止剤、及び分散に影響を与える金属イオンを捕獲するためのキレート化剤などの、種々の添加剤を適宜添加することもできる。
【００６２】
〔表面張力〕
インクジェット捺染インク組成物の表面張力は、３０ｍＮ／ｍ以下であることが好ましく、より好ましくは２８ｍＮ／ｍ以下であり、さらに好ましくは２５ｍＮ／ｍ以下である。表面張力が３０ｍＮ／ｍ以下であることにより、インクジェット法で本実施形態のインク組成物を用いた場合の充填性をはじめ、吐出安定性、ブリード抑制等の種々のインク特性がより向上する。また、表面張力の下限値は特に限定されないが、好ましくは１０ｍＮ／ｍ以上であり、より好ましくは１５ｍＮ／ｍ以上であり、さらに好ましくは１７ｍＮ／ｍ以上である。なお、表面張力は実施例に記載の方法により測定することができる。
【００６３】
また、同様の観点から、インク組成物の２０℃における粘度は、２ｍＰａ・ｓ以上１５ｍＰａ・ｓ以下であることが好ましく、２ｍＰａ・ｓ以上５ｍＰａ・ｓ以下であることがより好ましく、２ｍＰａ・ｓ以上３．８ｍＰａ・ｓ以下であることがより好ましい。なお、粘度の測定は、例えば、粘弾性試験機ＭＣＲ−３００（Ｐｙｓｉｃａ社製）を用いて、２０℃の環境下で、Ｓｈｅａｒ  Ｒａｔｅを１０〜１０００に上げていき、Ｓｈｅａｒ  Ｒａｔｅ２００時の粘度を読み取ることにより測定することができる。
【００６４】
〔インクジェット記録装置〕
上記本実施形態のインク組成物は、インクジェット記録装置に好適に用いることができる。インクジェット記録装置は、上述のインク組成物を収容するインク収容容器（カートリッジ、タンク等）及びこれに接続される記録ヘッドを少なくとも有し、上述のインク組成物を記録ヘッドから吐出して記録媒体に画像を形成することができれば、特に限定されない。
【００６５】
本実施形態のインクジェット記録装置としては、シリアル型およびライン型のいずれでも使用することができる。これらの型のインクジェット記録装置には、記録ヘッドが搭載されており、記録媒体と記録ヘッドとの相対的な位置関係を変化させながら、記録ヘッドのノズル孔からインク組成物の液滴を所定のタイミングで（間欠的に）かつ所定の体積（質量）で吐出させ、記録媒体にインク組成物を付着させて所定の画像を形成することができる。
【００６６】
ここで一般に、シリアル型のインクジェット記録装置では、記録媒体の搬送方向と、記録ヘッドの往復動作の方向が交差しており、記録ヘッドの往復動作と記録媒体の搬送動作（往復動作も含む）との組み合わせによって、記録媒体と記録ヘッドとの相対的な位置関係を変化させる。またこの場合、一般的には、記録ヘッドには複数のノズル孔（インク組成物を吐出する孔）が配置され、記録媒体の搬送方向に沿ってノズル孔の列（ノズル列）が形成されている。また、記録ヘッドには、インク組成物の種類や数に応じて、複数のノズル列が形成される場合もある。
【００６７】
また、一般に、ライン型のインクジェット記録装置では、記録ヘッドは往復動作を行わず、記録媒体の搬送によって記録媒体と記録ヘッドとの相対的な位置関係を変化させて、記録媒体と記録ヘッドとの相対的な位置関係を変化させる。この場合においても、一般的には、記録ヘッドには、ノズル孔が複数配置され、記録媒体の搬送方向に交差する方向に沿って該ノズル孔の列（ノズル列）が形成されている。
【００６８】
インクジェット記録方式は、上述したようなシリアル型またはライン型のインクジェット記録装置を用いるものであるが、方式としては、インク組成物を微細なノズル孔より液滴として吐出して該液滴を記録媒体に付着させることができれば、特に制限されない。例えば、インクジェット記録方式としては、静電吸引方式、ポンプ圧力によりインク滴を噴射させる方式、圧電素子を用いる方式、インク液を微小電極で加熱発泡させインク滴を噴射させる方式、などを挙げることができる。
【００６９】
本実施形態で用いられるインクジェット記録装置には、例えば、加熱ユニット、乾燥ユニット、ロールユニット、巻き取り装置などの公知の構成を制限無く採用することができる。
【実施例】
【００７０】
以下、本発明を実施例及び比較例を用いてより具体的に説明する。本発明は、以下の実施例によって何ら限定されるものではない。
【００７１】
［インク組成物用の材料］
下記の実施例及び比較例において使用したインク組成物用の主な材料は、以下の通りである。
〔分散染料〕
ＤＲ６０
〔分散剤〕
デモールＮＬ（花王ケミカル社製製品名、固形分４１％、ナフタレンスルホン酸Ｎａホルマリン縮合物）
〔二量体〕
下記化合物１
〔界面活性剤〕
ＢＹＫ３４８（ＢＹＫ社製商品名、ポリシロキサン系界面活性剤）
〔保湿剤〕
ＧＬ（グリセリン）
〔浸透剤〕
ＭＴＧ（トリエチレングリコールモノメチルエーテル）
〔ｐＨ調整剤〕
ＴＥＡ（トリエタノールアミン）
【００７２】
［インク組成物の調製］
各材料を下記の表１〜３に示す組成で混合し、１時間攪拌してから、メンブレンフィルター（孔径５μｍ）を用いて濾過することで、各インク組成物を得た。なお、下記の表１〜３中、数値の単位は質量％であり、合計は１００．０質量％である。また、二量体は、下記方法により合成し、インク組成物に対して混合した。
【００７３】
〔二量体Ｃの合成方法〕
ナフタレン１モルに対し、硫酸を３モル加え、１５０℃で５時間程度反応させた。その後、水と、硫酸の添加モル量に対応した炭酸カルシウムを加え中和を行い、水洗した。その後更に、０．５気圧・１５０℃状況下にて揮発させることにより未反応成分及び余剰な水を除去して、下記化合物１を得た。なお、二量体Ｃの含有量は、高速液体クロマトグラフィーを用いて常法により測定することができる。
【化１】
2018053107.tif 000002
【００７４】
〔表面張力の測定方法〕
協和界面科学（株）製の表面張力計「ＣＢＶＰ−Ｚ」を用いて、Ｗｉｌｈｅｌｍｙ法に従って、２５℃の環境下で白金プレートをインクで濡らしたときの表面張力を測定した。以下、Ｗｉｌｈｅｌｍｙ法について説明する。測定子（白金プレート）が液体の表面に触れると、液体が測定子に対してぬれ上がる。このとき、測定子の周辺に沿って表面張力がはたらき、測定子を液中に引き込もうとする。この引き込む力を読み取り、表面張力を測定した。
【００７５】
【表１】
2018053107.tif 000003
【００７６】
【表２】
2018053107.tif 000004
【００７７】
〔芳香族二量体由来の異物〕
上記のように得られたインク組成物２０ｇを５０ｍＬ容量のガラス容器に封入しフタをした。その後、６０℃環境で１２０時間放置した後、インク組成物を金属メッシュフィルター（孔径１０μｍ）で濾過し、金属メッシュフィルターに残留した異物の１ｍｍ四方あたりの個数を数えた。得られた個数に基づいて、下記評価基準により、インク組成物の気液界面における異物の発生を評価した。なお、インク組成物の乾燥固化物（※）としては、インク組成物１ｍＬをシャーレに滴下し、常温環境下に三日放置し、十分水分蒸発させて乾固させたものを用いた。ここで見られる異物は、芳香族二量体の結晶物であり、針状など結晶形状の異物として観察された。
（評価基準）
Ａ：異物個数が１０個以下
Ｂ：異物個数が１１個以上〜３０個以下
Ｃ：異物個数が３１個以上（許容できないレベル）
【００７８】
〔充填性〕
上記のように得られたインク組成物を充填したインクカートリッジを、インクジェットプリンター（製品名ＳＣ−Ｆ６０００、セイコーエプソン社製）のマゼンタインクカートリッジ装着部に装着した。ＳＣ−Ｆ６０００の定める初期充填シーケンスに従い、ヘッドへの初期充填動作を行った。この後、マゼンタの全ノズルからインクが吐出できるかどうかを確認するため、ノズルチェックを実施した。その結果に基づき、以下の評価基準により充填性を評価した。インク流路への濡れ性付与が不十分の場合には、インク流路内に残留気泡が発生し、それに起因して不吐出ノズルが発生していた。
（評価基準）
Ａ：充填直後のノズルチェックで、全ノズルが正常吐出する。
Ｂ：充填直後のノズルチェックでは不吐出ノズルが認められるが、そのまま１日放置した後のノズルチェックでは全ノズルで正常吐出する。
Ｃ：充填直後のノズルチェックでは不吐出ノズルが認められ、そのまま１日放置した後でも不吐出ノズルが認められる。